(57)【要約】【課題】クレジットカード番号の入力を不要とすると共に容易に会員登録ができ、利用したいサービスの提供を受けることを可能にする。【解決手段】本発明は、有償コンテンツ提供装置から、会員の認証依頼情報を受け付け、各会員の所属するプロバイダの情報を記録したプロバイダ管理テーブルを参照し、受け付けた会員の所属するプロバイダを判定し、判定されたプロバイダのプロバイダ装置に対して会員の認証依頼情報を発行する。プロバイダ装置からの認証結果を受け付けると、該認証結果を有償コンテンツ提供装置へ送信する。【選択図】図１
2006294060.tif 000002
【特許請求の範囲】
【請求項１】
会員管理装置による会員管理方法であって、
有償コンテンツ提供装置から、会員の認証依頼情報を受け付ける受付ステップと、
各会員の所属するプロバイダの情報を記録したプロバイダ管理テーブルを参照し、前記受付ステップにおいて受け付けた会員の所属するプロバイダを判定する判定ステップと、
前記判定ステップにおいて判定されたプロバイダのプロバイダ装置に対して前記会員の認証依頼情報を発行するステップと、
前記プロバイダ装置からの認証結果を受け付けると、該認証結果を前記有償コンテンツ提供装置へ送信するステップと、
を行うことを特徴とする会員管理方法。
【請求項２】
有償コンテンツ提供装置から、会員の認証依頼情報を受け付ける受付手段と、
各会員の所属するプロバイダの情報を記録したプロバイダ管理テーブルを参照し、前記受付手段において受け付けた会員の所属するプロバイダを判定する判定手段と、
前記判定手段において判定されたプロバイダのプロバイダ装置に対して前記会員の認証依頼情報を発行する手段と、
前記プロバイダ装置からの認証結果を受け付けると、該認証結果を前記有償コンテンツ提供装置へ送信する手段と、
を備えることを特徴とする会員管理装置。
【発明の詳細な説明】
【技術分野】
【０００１】
本発明は、会員管理方法及び装置に係り、特に、インターネット上で有償のコンテンツを提供する際に必要となる会員管理及び課金請求処理を行うための会員管理方法及び装置に関する。
【０００２】
近年、インターネットの普及と共に、有償で会員に対してサービスを提供する際に、会員を管理するための登録処理、会員管理、サービス提供に対する課金処理が必須となっている。このため、利用者は、氏名の登録や自分自身のクレジットカードを登録し、登録された会員に対して有償のサービスが提供される。このような場合に容易に利用者の登録処理や課金処理が可能なシステムが求められている。
【背景技術】
【０００３】
図５は、従来の有償コンテンツの提供システムの構成を示す。同図に示す従来の有償コンテンツの提供システムは、会員端末１００、ＷＷＷサーバ２００、プロバイダ４００、及びクレジット会社５００から構成される。会員端末１００において、会員が氏名やクレジットカード番号等の会員登録のための情報を入力し、ＷＷＷサーバ２００に送信する。
【０００４】
ＷＷＷサーバ２００は、会員端末１００に対して要求されたサービスを提供するホームページ表示制御部２１０と、提供したサービスに対する課金を行う課金処理部２２０とを有し、課金処理部２２０で課金処理された課金データがプロバイダ４００を経由して、クレジット会社５００に転送される。クレジット会社５００では、会員に対してサービス提供に対する請求を行う。
【発明の開示】
【発明が解決しようとする課題】
【０００５】
しかしながら、従来の有償コンテンツの提供システムでは、プロバイダに対して加入時にクレジットカード番号を既に登録しているにも関わらず、利用者が利用したいサービスを提供するＷＷＷサーバに対してクレジットカード番号を含む会員登録情報を入力する処理が必要であるため、作業が繁雑であると共に、クレジット番号をそのままＷＷＷサーバに送信しているため、他人に悪用される危険性がある。また、ＷＷＷサーバの知名度が低い、または、新規参入によりシステムが整備されていない等の状況にあっては利用者の不安が増大する。
【０００６】
本発明は、上記の点に鑑みなされたもので、クレジットカード番号の入力を不要とすると共に容易に会員登録ができ、利用したいサービスの提供を受けることが可能な会員管理方法及び装置を提供することを目的とする。
【課題を解決するための手段】
【０００７】
本発明は、会員管理装置による会員管理方法であって、
有償コンテンツ提供装置から、会員の認証依頼情報を受け付ける受付ステップと、
各会員の所属するプロバイダの情報を記録したプロバイダ管理テーブルを参照し、受付ステップにおいて受け付けた会員の所属するプロバイダを判定する判定ステップと、
判定ステップにおいて判定されたプロバイダのプロバイダ装置に対して会員の認証依頼情報を発行するステップと、
プロバイダ装置からの認証結果を受け付けると、該認証結果を有償コンテンツ提供装置へ送信するステップと、を行う。
【０００８】
本発明は、有償コンテンツ提供装置から、会員の認証依頼情報を受け付ける受付手段と、
各会員の所属するプロバイダの情報を記録したプロバイダ管理テーブルを参照し、受付手段において受け付けた会員の所属するプロバイダを判定する判定手段と、
判定手段において判定されたプロバイダのプロバイダ装置に対して会員の認証依頼情報を発行する手段と、
プロバイダ装置からの認証結果を受け付けると、該認証結果を有償コンテンツ提供装置へ送信する手段と、を備える。
【０００９】
本発明によれば、有償コンテンツを提供するサーバにおいて会員の管理及び課金請求処理を行わずに、単に有償コンテンツの提供処理のみを行うことにより、本来会員が秘密にしたい情報（会員ＩＤ等）をコンテンツ提供者に知られる恐れがない。
【発明の効果】
【００１０】
本発明によれば、有償コンテンツを提供するＷＷＷサーバでは、会員の管理及び課金請求処理を行わずに、単に有償コンテンツの提供処理のみを行うことにより、当該サーバは課金・請求のための機能が不要となると共に、会員が秘密にしたい情報（会員ＩＤ等）をコンテンツ提供者に知られる恐れがないため、不正利用を防止することができる。
【００１１】
本発明によれば、インターネットプロバイダはコンテンツ提供者に会員ＩＤを知られることがないため、会員ＩＤの不正利用を防止できると共に、クレジットカード番号等の入力を不要とすることが可能である。
【発明を実施するための最良の形態】
【００１２】
図１は、本発明の有償コンテンツサービス提供システムの構成を示す。同図において図５と同一構成部分には同一符号を付し、その説明を省略する。
【００１３】
同図に示す有償コンテンツサービス提供システムは、有償コンテンツの提供を受ける会員端末１００、有償コンテンツの提供を行うＷＷＷサーバ２００、会員の認証処理及び課金処理及び請求データ作成処理を行う会員管理サーバ３００、課金処理されたデータに基づいて会員に対する請求データをクレジット会社に送付するプロバイダ４００、プロバイダ４００からの請求データに基づいて会員に対して請求を行うクレジットカード会社５００から構成される。
【００１４】
会員端末１００は、ＷＷＷサーバ２００から提供される有償コンテンツを取得して表示する表示部１３０と、所定のＩＤ入力画面を用いて入力する入力部１２０とが接続され、入力部１２０から入力されたＩＤやパスワードを暗号化して送信する暗号化部１１０を有する。
【００１５】
ＷＷＷサーバ２００は、会員端末１００に対してホームページ等の有償コンテンツの提供を行うホームページ表示制御部２１０、有償コンテンツの提供を行う毎に、会員に対する課金ログを生成する課金ログ作成部２３０、課金ログ作成部２３０で作成された課金ログを格納しておく課金ログテーブル２４０とを有する。
【００１６】
会員管理サーバ３００は、会員端末１００から送られた暗号化された会員情報を復号化して会員の認証を行う会員認証部３１０と、当該会員が所属するプロバイダの情報を管理するプロバイダ管理テーブル３２０、ＷＷＷサーバ２００における有償コンテンツの提供に伴う会員ＩＤ、課金ＩＤの登録及び課金ＩＤの返却を行うＩＤ処理部３３０と、会員の情報を管理する会員管理テーブル３４０、ＷＷＷサーバ２００で生成された課金ログに基づいて課金請求データを作成する課金・請求データ作成部３５０、課金・請求データ作成部３５０で生成された課金情報を格納するプロバイダ向課金請求データファイル３６０、請求データをプロバイダ向き課金請求データファイル３６０から読み込んでプロバイダ４００に送信する請求データ送信部３７０から構成される。
【００１７】
プロバイダ４００は、会員管理サーバ３００から請求データを受け取り、クレジットカード会社５００に請求データを送信する料金請求部４１０、会員毎の情報を管理し、料金請求部４１０により参照される会員管理テーブル４２０及び会員管理テーブル４２０を参照して会員情報を認証するための認証部４３０とを有する。
【００１８】
次に、上記の有償コンテンツサービス提供システムにおける概要動作を説明する。
【００１９】
図２は、本発明の有償コンテンツサービス提供の動作を示すシーケンスチャートである。
【００２０】
ステップ１０１）  会員が会員端末１００の入力部１２０から所定のＩＤ入力画面を用いて会員区分、会員ＩＤ及びパスワード等の情報を入力する。
【００２１】
ステップ１０２）  会員端末１００の暗号化部１１０において、入力部１２０から入力されたＩＤ／パスワードを暗号化する。
【００２２】
ステップ１０３）  暗号化された情報を会員端末１００からＷＷＷサーバ２００を介して会員管理サーバ３００に送信する。
【００２３】
ステップ１０４）  会員管理サーバ３００は、暗号化されているＩＤ／パスワードを復号化し、これら復号された会員ＩＤキーとしてプロバイダ管理テーブル３２０を検索し、当該会員がどのプロバイダに加入しているかを判定する。このとき、どのプロバイダにも加入していない場合には、当該会員からの要求を認証しない。
【００２４】
ステップ１０５）  会員管理サーバ３００は、当該会員が加入しているプロバイダ４００に対して認証依頼を行う。
【００２５】
ステップ１０６）  プロバイダ４００の認証部４３０において会員管理テーブル４２０を参照して認証を行い、その認証結果を会員管理サーバ３００に送信する。
【００２６】
ステップ１０７）  会員管理サーバ３００は、取得した認証結果をＷＷＷサーバ２００に送信する。
【００２７】
ステップ１０８）  ＷＷＷサーバ２００は、取得した認証結果が"ＯＫ"であれば、有償コンテンツを会員端末１００に送信する。
【００２８】
ステップ１０９）  これにより、会員端末１００は当該有償コンテンツを表示部１３０に表示する。
【００２９】
ステップ１１０）  会員管理サーバ３００は、会員ＩＤ、課金ＩＤを組として会員管理テーブル３４０に登録する。
【００３０】
ステップ１１１）  会員管理サーバ３００は、当該会員に対する課金ＩＤをＷＷＷサーバ２００に送信する。
【００３１】
ステップ１１２）  ＷＷＷサーバ２００の課金ログ作成部２３０は、会員管理サーバ３００から取得した課金ＩＤに対応する有償コンテンツ提供に対する課金ログデータを生成し、課金ログテーブル２４０に格納する。
【００３２】
ステップ１１３）  ＷＷＷサーバ２００は、課金ログテーブル２４０に蓄積された課金ログデータを会員管理サーバ３００に送信する。
【００３３】
ステップ１１４）  会員管理サーバ３００の課金請求データ作成部３５０は、ＷＷＷサーバ２００から取得した課金ログデータに基づいて会員管理テーブル３４０を参照し、当該会員が加入しているプロバイダに対する課金請求データを生成する。
【００３４】
ステップ１１５）  会員管理サーバ３００は、生成した課金請求データを該当するプロバイダ４００に送信する。
【００３５】
ステップ１１６）  プロバイダ４００の料金請求部４１０は、会員管理テーブル４２０を参照して、当該会員ＩＤに対応する料金請求データを生成する。
【００３６】
ステップ１１７）  プロバイダ４００は、料金請求データを当該会員が利用しているクレジットカード会社５００または、会員に対して請求する。
【００３７】
図１では、プロバイダ４００からクレジットカード会社５００に送信する構成としているが、この例に限定されることなく、会員個人に請求するようにしてもよい。
【００３８】
上記のように、インターネットの利用者である会員は、所定のＩＤ入力画面に基づいて会員情報を入力するのみでよく、クレジットカード番号の入力を不要とする。さらに、会員ＩＤを暗号化して会員端末１００からコンテンツを提供するＷＷＷサーバ２００に送られ、インターネットプロバイダはコンテンツ提供者に会員ＩＤを知られることがないため、会員ＩＤの不正利用を防止できる。
【実施例】
【００３９】
以下、図面と共に本発明の実施例を説明する。図３は、本発明の一実施例の有償コンテンツサービス提供の動作を説明するための図である。以下の動作の説明を前述の図２の動作に沿って説明する。
【００４０】
まず、会員は、図４に示すようなＩＤ入力画面が表示部１３０に表示されると、入力部１２０から当該画面項目に従って入力を行う。図４の例では、会員区分"Ｘ"、会員ＩＤ"Ｘ０１"、パスワード"ａａａ"を入力する（ステップ１０１）。次に、会員端末１００は、入力された会員区分"Ｘ"、会員ＩＤ及びパスワードについて暗号化を行う。なお、暗号化の方法は、ＲＳＡ暗号化を含め種々の既存の暗号化の方法が利用可能である（ステップ１０２）。
【００４１】
次に、会員端末１００は、ＷＷＷサーバ２００を経由して会員管理サーバ３００に暗号化された会員区分、会員ＩＤ及びパスワードの情報を送信する（ステップ１０３）。
【００４２】
会員管理サーバ３００は、取得した暗号化された会員区分、会員ＩＤ及びパスワードを復号化し、これら復号された会員区分（プロバイダ識別子）をキーとしてプロバイダ管理テーブル３２０を検索し、プロバイダ名（Ｘプロバイダ）を取得する（ステップ１０４）。さらに、会員管理サーバ３００の会員認証部３１０は、取得したプロバイダ名（Ｘプロバイダ）に対して認証依頼を発行する（ステップ１０５）。これにより、プロバイダＸ４００は、当該認証依頼に対する認証を行う。この場合には、会員ＩＤ"Ｘ０１"の会員は、当該プロバイダに加入しているため、"認証ＯＫ"を会員管理サーバ３００に返却する（ステップ１０６）。
【００４３】
これにより、会員管理サーバ３００は、当該認証結果をＩＤ処理部３３０に転送すると共に、当該認証結果をＷＷＷサーバ２００に転送する（ステップ１０７）。ＷＷＷサーバ２００は、当該認証結果が"ＯＫ"であるので、有償コンテンツであるホームページを当該会員端末１００に転送する（ステップ１０８）。これにより、会員端末１００は、提供サービスとしてＷＷＷサーバ２００から送信された当該ホームページを表示部１３０に表示する（ステップ１０９）。
【００４４】
会員管理サーバ２００のＩＤ処理部３３０は、会員ＩＤに対応する課金ＩＤ（Ｘ−Ｋ０１"を生成し、認証された会員ＩＤ（Ｘ０１）と共に、会員管理テーブル３４０に登録すると共に（ステップ１１０）、当該課金ＩＤ（Ｘ−Ｋ０１）をＷＷＷサーバ２００に転送する（ステップ１１１）。
【００４５】
ＷＷＷサーバ２００は、当該課金ＩＤに対する会員端末１００に提供したホームページの提供に対応する課金ログ（Ｘ−Ｋ０１／１００円）を生成し（ステップ１１２）、当該課金ログデータを課金ログデータテーブル２４０に格納する（ステップ１１２）。
【００４６】
次に、ＷＷＷサーバ２００は、任意のタイミングで課金ログデータテーブル２４０の内容（課金ＩＤ：Ｘ−Ｋ０１／料金：１００円）を会員管理サーバ３００に転送する（ステップ１１３）。これにより、会員管理サーバ３００の課金請求データ作成部３５０は、課金ログデータの課金ＩＤ（Ｘ−Ｋ０１）をキーとして会員管理テーブル３４０を検索し、当該課金ＩＤに対応する会員ＩＤを取得し、当該会員ＩＤ毎に料金を算出し、その合計値をＸプロバイダ向の課金請求データとし、プロバイダ向課金請求データファイル３６０に蓄積する（ステップ１１４）。
【００４７】
会員管理サーバ３００の請求データ送信部３７０は任意のタイミングでプロバイダ向課金請求データファイル３６０を読み込んで、当該情報をＸプロバイダ４００に転送する（ステップ１１５）。
【００４８】
Ｘプロバイダ４００の料金請求部４１０は、会員管理サーバ３００から取得した請求データをクレジットカード会社５００に送信する（ステップ１１７）。これにより、クレジットカード会社５００は、会員に対して当該料金を請求する。
【００４９】
また、上記の実施例では、会員端末１００、ＷＷＷサーバ２００、会員管理サーバ３００及びプロバイダ４００等をハードウェアで構成する例に基づいて説明したが、この例に限定されることなく、会員端末の暗号化部１１０、ＷＷＷサーバ２００のホームページ表示制御部２１０、課金ログ作成部２３０、会員管理サーバ３００の会員認証部３１０、ＩＤ処理部３３０、課金・請求データ作成部３５０、請求データ送信部３７０をプログラムとして構築し、会員端末１００、ＷＷＷサーバ２００、会員管理サーバ３００、プロバイダ４００の各々のコンピュータのディスク装置や、フロッピーディスク（「フロッピー」は登録商標）やＣＤ−ＲＯＭ等の可搬記憶媒体に格納しておき、本発明の処理を行う際にインストールすることにより、汎用的に利用することが可能である。
【００５０】
なお、本発明は、上記の実施例に限定されることなく、特許請求の範囲内で種々変更・応用が可能である。
【図面の簡単な説明】
【００５１】
【図１】本発明の有償コンテンツサービス提供システムの構成図である。
【図２】本発明の有償コンテンツサービス提供の動作を示すシーケンスチャートである。
【図３】本発明の一実施例の有償コンテンツサービス提供の動作を説明するための図である。
【図４】本発明の一実施例のＩＤ入力画面の例である。
【図５】従来の有償コンテンツ提供システムの構成図である。
【符号の説明】
【００５２】
１００  会員端末
１１０  暗号化部
１２０  入力部
１３０  表示部
２００  ＷＷＷサーバ
２１０  ホームページ表示制御部
２３０  課金ログ作成部
２４０  課金ログテーブル
３００  会員管理サーバ
３１０  会員認証部
３２０  プロバイダ管理テーブル
３３０  ＩＤ処理部
３４０  会員管理テーブル
３５０  課金・請求データ作成部
３６０  プロバイダ向課金請求データファイル
３７０  請求データ送信部
４００  プロバイダ
４１０  料金請求部
４２０  会員管理テーブル
４３０  認証部
５００  クレジットカード会社
【図１】
2006294060.tif 000003
【図２】
2006294060.tif 000004
【図３】
2006294060.tif 000005
【図４】
2006294060.tif 000006
【図５】
2006294060.tif 000007